(57)【要約】【課題】常時はキャップの収納容器に密閉収納している粉末茶を飲用時に簡単な操作で本体の飲料水と混合して、風味のある美味しいお茶が味わえるようにした飲料容器を提供する。【解決手段】内部に飲料水１１を収納している飲料容器本体１０瓶口１０ａに対して着脱自在にねじ着結合されるキャップ１上部には回転可能に保持された開閉蓋２と、その内部には開閉蓋２の回転動作により上下に移動する押圧キャップ４を有し、前記押圧キャップ４の下部には底面３ｄに機械的弱点部３ｅを形成している円筒形状の混合物５を収納する収納容器３が設けられ、前記収納容器３には底面３ｄと一体に形成された押圧棒３ａが上方に突出しており、飲用時には前記開閉蓋２を回動することにより押圧キャップ４が下方に押し下げられ、収納容器３の底面３ｄの機械的弱点部３ｅを破断して開口させて収納容器３内の混合物５を飲料水１１中に落下させる。【選択図】  図１
2006103781.tif 000002
【特許請求の範囲】
【請求項１】
飲料容器本体１０内部に飲料水１１を収納し、飲料容器本体瓶口１０ａには着脱自在にねじ着されるキャップ１を備えており、前記キャップ１には混合物５を収納する収納容器３を備えたキャップ構造において、
前記キャップ１は大径円筒部１ｂの上部に小径円筒部１ａを結合した形状で、前記大径円筒部１ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられ、しかも前記収納容器３は前記キャップ１の大径円筒部１ｂの上端部近傍の円周側より中心部へ向かって延長形成される爪部１ｈと前記収納容器３の上面部の円周端部より外側へ向かって延長形成される係止部３ｈにより保持されており、前記押圧棒３ａの上面に配置される押圧キャップ４は前記キャップ１の小径円筒部１ａ内部に収納され前記キャップ１の小径円筒部１ａを被冠して配置される開閉蓋２に設けられたねじ部２ａに対して進退自在にねじ着されて、さらに前記キャップ１の小径円筒部１ａの内部にはガイド突起１ｄを備えており、前記押圧キャップ４の外周側面に設けられた溝部４ａに前記ガイド突起１ｄが勘合することで、前記押圧キャップ４の回転が規制され、前記開閉蓋２を回動することにより前記押圧キャップ４下方に押し下げ、前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造。
【請求項２】
上記において収納容器３の機械的弱点部３ｅが破壊される時にはキャップ１の小径円筒部１ａにおける下端部１ｇと前記押圧キャップ４の側周面４ｅが密接して密着状態を形成する請求項１のキャップ構造。
【請求項３】
飲料容器本体１０内部に飲料水１１を収納し、飲料容器本体瓶口１０ａには着脱自在にねじ着されるキャップ７を備えており、前記キャップ７には混合物５を収納する収納容器３を備えたキャップ構造において、
前記キャップ７は大径円筒部７ｂの上部に外周面にねじ部７ｄが設けられた小径円筒部７ａを結合した形状で、前記大径円筒部７ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられて、しかも前記収納容器３は前記キャップ７の大径円筒部７ｂ上端部近傍の円周側より中心部へ向かって延長形成される爪部７ｈと前記収納容器３の上面部の円周端部より外側へ向かって延長形成される設けられた係止部３ｈにより保持されており、前記収納容器３の押圧棒３ａの上面に配置される下方へ広がる円筒形状で上面中央部に突起部６ａを備えた開閉蓋６は前記キャップ７の小径円筒部１ａを被冠してそのねじ部７ｄに対して進退自在にねじ着されて、前記開閉蓋６を回動することにより前記突起部６ａにより前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造。
【請求項４】
上記において、収納容器３の機械的弱点部３ｅが破壊される時にはキャップ７の小径円筒部７ａ先部７ｅと前記開閉蓋６の上面部６ｃに設けたシール部材６ｄが密接して密着状態を形成する請求項３のキャップ構造。
【請求項５】
上記収納容器３の底面３ｄにはつまみ部３ｆを設けたことを特徴とする請求項１及び請求項３のキャップ構造。
【発明の詳細な説明】
【技術分野】
【０００１】
本発明は、微粉末状にした混合物と飲料水を分離状態に収納し、飲用時に両者を混合させて飲用する飲料容器の改良に関するものである。
【背景技術】
【０００２】
従来、お茶、コーヒー、ジュース等の飲料が缶、ビン、ペットボトル等の密閉された飲料容器に詰められて、販売店および自動販売機などで販売されている。
これらのものは、消費者に渡るまでに時間がかかるため保存期間中の経年変化により風味が悪くなるという問題があるため、粉末状にしたお茶などの食味材と飲料水を飲用直前に混合させることにより、飲用時に淹れたての風味を味わうことができるようにした飲料容器が提案されている。（例えば、特許文献１参照。）
【０００３】
例えば本出願人の特開２００３−７２８２２号の発明によれば、飲料容器本体の瓶口に混合物を収納した収納容器と、前記収納容器の上部で前記本体の瓶口を覆うように設けられた下に広がる円筒形状で上面中央部に突起部を備えたキャップを有し、前記キャップの円筒部内周面側には本体瓶口に設けられたねじ部とねじ着結合するようにねじ部を備え、前記ねじ着結合される際には前記キャップの下部に設けられた機器的弱点部を有したカラーが破壊される構成としている。
【０００４】
前記発明であれば、前記キャップを押下げながら回転させることで、前記本体の瓶口に設けられたねじ部とねじ着結合され前記キャップの上面が前記瓶口先端部に接触するまで締めこむことで、前記キャップ上面に設けられた突起により前記収納容器の上面及び下面を突き破り、その開口部より粉末茶等の混合物を飲料水に落下混入し、その後それを攪拌することで、飲用時に淹れたての風味を味わうことを特徴としている。
【特許文献１】特開２００３−７２８２２号公報
【発明の開示】
【発明が解決しようとする課題】
【０００５】
しかしながら前記の発明においては、混合物を飲料水に落下混入させるためには前記キャップに設けた突起部により前記収納容器を突き破り収容物を落下させる構成であるため、収納容器に収められた混合物を落下させるための開放部が少なく、混合物が完全に落下しない可能性があった。そのため、混合物が粉末茶等の難溶性であれば本体を上下に振りながら攪拌した場合においても飲料水にお茶等のエキスが浸透せず、薄い味のお茶となる可能性があった。
【０００６】
また、混合物が収納された収納容器と前記キャップとは、それぞれ個別で容器本体に組み込まれているために、キャップのみを本体より取外した状態では飲用できず、キャップと収納容器を個別に容器本体から取外すことで初めて飲用できるため面倒な作業であった。さらに、飲用途中の保管においては収納容器のみを取外しキャップを本体容器に装着することで飲用途中の状態で保管はできるものの、取外された収納容器の処理に困ることがあった。 
【課題を解決するための手段】
【０００７】
本発明は、上記問題を解決するためにも新鮮なお茶が簡単な操作で飲用できる構成を提供するものであり、上記目的を達成するために第１の発明は、飲料容器本体１０内部に飲料水１１を収納し、飲料容器本体瓶口１０ａには着脱自在にねじ着されるキャップ１を備えており、前記キャップ１には混合物５を収納する収納容器３を備えたキャップ構造において、
前記キャップ１は大径円筒部１ｂの上部に小径円筒部１ａを結合した形状で、前記大径円筒部１ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられ、しかも前記収納容器３は前記キャップ１の大径円筒部１ｂの上端部近傍の円周側より中心部へ向かって延長形成される爪部１ｈと前記収納容器３の上面部の円周端部より外側へ向かって延長形成される係止部３ｈにより保持されており、前記押圧棒３ａの上面に配置される押圧キャップ４は前記キャップ１の小径円筒部１ａ内部に収納され前記キャップ１の小径円筒部１ａを被冠して配置される開閉蓋２に設けられたねじ部２ａに対して進退自在にねじ着されて、さらに前記キャップ１の小径円筒部１ａの内部にはガイド突起１ｄを備えており、前記押圧キャップ４の外周側面に設けられた溝部４ａに前記ガイド突起１ｄが勘合することで、前記押圧キャップ４の回転が規制され、前記開閉蓋２を回動することにより前記押圧キャップ４下方に押し下げ、前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造である。
【０００８】
第２の発明は、上記において収納容器３の機械的弱点部３ｅが破壊される時にはキャップ１の小径円筒部１ａにおける下端部１ｇと前記押圧キャップ４の側周面４ｅが密接して密着状態を形成する請求項１のキャップ構造である。
【０００９】
第３の発明は、飲料容器本体１０内部に飲料水１１を収納し、飲料容器本体瓶口１０ａには着脱自在にねじ着されるキャップ７を備えており、前記キャップ７には混合物５を収納する収納容器３を備えたキャップ構造において、
前記キャップ７は大径円筒部７ｂの上部に外周面にねじ部７ｄが設けられた小径円筒部７ａを結合した形状で、前記大径円筒部７ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられて、しかも前記収納容器３は前記キャップ７の大径円筒部７ｂ上端部近傍の円周側より中心部へ向かって延長形成される爪部７ｈと前記収納容器３の上面部の円周端部より外側へ向かって延長形成される設けられた係止部３ｈにより保持されており、前記収納容器３の押圧棒３ａの上面に配置される下方へ広がる円筒形状で上面中央部に突起部６ａを備えた開閉蓋６は前記キャップ７の小径円筒部１ａを被冠してそのねじ部７ｄに対して進退自在にねじ着されて、前記開閉蓋６を回動することにより前記突起部６ａにより前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造である。
【００１０】
第４の発明は、上記において、収納容器３の機械的弱点部３ｅが破壊される時にはキャップ７の小径円筒部７ａ先部７ｅと前記開閉蓋６の上面部６ｃに設けたシール部材６ｄが密接して密着状態を形成する請求項３のキャップ構造である。
【００１１】
第５の発明は、上記収納容器３の底面３ｄにはつまみ部３ｆを設けたことを特徴とする請求項１及び請求項３のキャップ構造である。
【発明の効果】
【００１２】
本願発明により、収納容器３に収納された混合物５は前記収納容器３上面に貼着されているシール部材３ｂにより完全に密封収納された状態にあるため、擂りたての風味を長期にわたって保存することができる。
【００１３】
そして、混合物５と飲料水１１を混合するには、開封蓋２を回すだけの簡単な操作で行うことができ、混合後は請求項２の構成においては前記キャップ１の下端部１ｇと前記押圧キャップ４の密接部４ｅとが密着し、請求項４の構成においては前記キャップ７の上端部７ｅと前記開閉蓋６のシール部材６ｄが密着することで液漏れがせず、さらに収納容器３の開口部３ｃが大きく開くため混合物５が全て飲料水１１に落下混合し、いつでも淹れたての美味しいお茶を味わうことができる。
【００１４】
収納容器３底面３ｄの破壊時、その底面３ｄは飲料水１１側に落下することがないため、底面３ｄの一部破片等が飲料水１１中に浮遊したりせず衛生上、安全性でも好ましい。
【００１５】
また、前記収納容器３はキャップ１より容易に着脱できるため、別の種類の混合物を入れた前記収納容器３と入れ替えることにより様々な味を楽しむことができる。
【発明を実施するための最良の形態】
【００１６】
本発明の実施例として混合物３に臼で挽いて粉末状にした粉末茶３を使用した場合の例を図１から図７を用いて説明する。なお混合物３としては粉末状、顆粒状或いは液体状のものを使用することができる。
図１に示すように、ペットボトル等からなる飲料容器の本体１０の中にはミネラルウォータ等の飲料水１１が収納され、本体の瓶口１０ａの外周面に形成されているねじ部１０ｂには、キャップ１が着脱自在にねじ着結合されている。
【実施例１】
【００１７】
キャップ１は図１、及び図２に示すように大径円筒部１ｂの上部に小径円筒部１ａを組み合わせた形状のキャップ１と前記キャップ１の小径円筒部１ａを覆うように装着される開閉蓋２と前記小径円筒部１ａの内部に配置され前記開閉蓋２の回転に連動して下方へ移動する押圧キャップ４及び前記押圧キャップ４の下方で、前記キャップ１の大径円筒部１ｂの内部に配置される粉末茶５を密閉収納した収納容器３から構成されている。
【００１８】
図３に示すキャップ１はポリプロピレン樹脂（ＰＰ）の合成樹脂からなり、大径円筒部１ｂの上部に小径円筒部１ａを組み合わせた形状をしており、前記大径円筒部１ｂの内周面には本体瓶口に形成されているねじ部１０ｂに対して着脱自在にねじ着結合されるねじ部１ｃが設けられている。
【００１９】
キャップ１の小径円筒部１ａの内側にはガイド突起１ｄが軸方向に延長形成して設けられており、これは前記キャップ１の小径円筒部１ａの内部に配置される押圧キャップ４に設けられたガイド溝４ａに勘合し前記押圧キャップ４の移動を上下方向のみに規制するためのものであり、さらに小径円筒部１ａの外周面下部には上側より下側へと広がるテーパ形状を備えた係止用突起１ｅが円周にわたり設けられている。
【００２０】
さらに、小径円筒部１ａと大径円筒部１ｂの結合部における壁１ｆの断面形状は下側へと狭くなるテーパ形状の下端部１ｇが円周状に設けられ、前記壁１ｆの下面側には収納容器の係止部を係止する爪部１ｈが円周方向に４箇所設けられている。
また、大径円筒部１ｂの外周面には図示しないローレット等のすべり止め加工がされておいる。
【００２１】
図１、及び図２に示す開閉蓋２は、下面が開口し上面の中心部に下方へ突起しているねじ部２ａを備えた略円筒形状のポリプロピレン樹脂（ＰＰ）の合成樹脂からなり、前記開閉蓋２の円筒部内周面下端部には前記キャップ１の小径円筒部１ａに設けられた係止用突起部１ｅに勘合する係止部２ｂが設けられており、前記開閉蓋２をキャップ１の小径円筒部１ａを覆うように取付けた際、係止用突起２ｂがキャップ１の係止用突起１ｅに係止されて、開閉蓋が上方へと外れることを防止するとともに円周方向のみへの回転を可能にしている。
なお開閉蓋２の外周側面にはローレット等のすべり止め加工がされている。
【００２２】
図４に示す押圧キャップ４は概略大径円柱部４ｂの下部に小径円柱部４ｃを組合わせた形状で、ポリプロピレン樹脂（ＰＰ）の合成樹脂からなり、大径円柱部４ｂの上面中央部には前記開閉蓋２に設けられたねじ部２ａと進退自在にねじ着されるねじ部４ｄが設けられ、側面には対向して配置されるキャップのガイド突起１ｄに勘合するガイド溝４ａが設けられている。
【００２３】
また大径円柱部４ｂと小径円柱部４ｃの接合部にはキャップ１に設けられた壁１ｆの下端部１ｇに密接するための大径円柱部と小径円柱部を連続的に繋がるテーパー状の密接部４ｅが設けられている。
さらに小径円柱部４ｃの下面には、後述する収納容器３の押圧棒３ａを押圧する際に前記押圧棒３ａが前記押圧キャップ４の下面より外れることがないように底面４ｆが凹状に形成されている。
【００２４】
押圧キャップ４は、そのガイド溝４ａとキャップ１に設けたガイド突起１ｄに勘合しているため押圧キャップ４は回転することなく、図２に示すように開閉蓋２の回転に伴って下方に移動して、収納容器３の押圧棒３ａを下方に押し圧し収納容器３の底面３ｄの機械的弱点部３ｅを確実に破壊することができる。
【００２５】
そして、収納容器３底面の機械的弱点部３ｅが破壊されて形成された開口部３ｃより収納容器３に収納されている粉末茶５を飲料水１１に落下させて混入させることができるようになっている。
【００２６】
図５に示す収納容器３はポリプロピレン樹脂（ＰＰ）の合成樹脂からなり、上面が開口している有底の略円筒形状をしている。
収納容器３の底面３ｄには一部を除き円周状に形成された薄肉部、切溝部などからなる機械的弱点部３ｅが設けられており、底面３ｄの機械的弱点部３ｅ近傍で上方に突出した押圧棒３ａが設けられている。
【００２７】
なお押圧棒３ａは底面３ｄに対して一体で形成されており、押圧キャップ４からの押し圧を底面３ｄの機械的弱点部３ｅに効率よく伝達できるようになっている。さらに、前記押圧キャップ４底面の４ｆは前記収納容器３を前記キャップ１から容易に取外しができるようにつまみ部３ｆが設けられている。
【００２８】
また、収納容器３の内部には粉末茶５を収納するための収納部３ｇが設けられ、前記収納容器３の上面の外周面部には円周状に４箇所設けらた係止部３ｈを備えており、前記係止部３ｈがキャップ１に設けられた爪部１ｈに係止されて本体の瓶口上面に図示しないパッキン等のシール部材を介して当接され、収納容器３が瓶口１０ａ内部に収納されるようになっている。
【００２９】
なお収納容器３の収納部３ｇに粉末茶５を収納した後、上面にアルミフィルムなどからなるシート状のシール部材３ｂを貼着または溶着させて完全に密封収納された状態にするようになっている。
そのため擂りたての風味を長期にわたって保つことができ、飲用時に淹れたての美味しいお茶を味わうことができるようになっている。
【００３０】
次に本実施例の飲用方法について説明する。
本飲料は、臼等で挽いて微粉末状にした粉末茶５が収納容器３に収納されて飲料容器１２内では飲料水１１と粉末茶５を常時分離させた状態で販売店や自動販売機等で販売されている。
【００３１】
飲用する際には、飲料容器本体１０の上部に設けられている開閉蓋２を反時計方向に回転させる。なお回転方向は開閉蓋２のねじ部２ａと押圧キャップ４のねじ部４ｄを右ネジ或いは左ネジにすることで選択できるため本実施例の反時計方向に限定されるものでは無く、時計方向に回転させるようにしてもよい。
【００３２】
開閉蓋２の回転により、押圧キャップ４は前記押圧キャップ４に設けられたガイド溝４ａによりキャップ１の小径円筒部１ａに設けられたガイド突起１ｄ沿って下方に移動し、収納容器３に設けられた押圧棒３ａを下方に押し圧することで収納容器３の底面３ｄにおける機械的弱点部３ｅを破壊する。
これにより図３に示すように収納容器３内の粉末茶５はその破壊に伴って破壊した開口部３ｃ飲料水１１内に落下する。
【００３３】
このとき、収納容器３の底面３ｄは機械的弱点部以外の通常の肉厚部があることにより、図２に示すように一体的に残存して飲料水１１側に落下することがないため、底面３ｄの一部破片等が飲料水１１中に浮遊することがなく、衛生上および安全面でも好ましい。
【００３４】
同時に図２に示すように押圧キャップ４の大径円柱部４ｂと小径円柱部４ｃの連結部に設けられたテーパー状の密接部４ｅが、これに対応するキャップの大径円筒部１ｂと小径円筒部１ａの結合部に設けられた壁１ｆのテーパー状の下端部１ｇに密接することで外部に対してシール状態となる。そのため、飲料水１１と粉末茶５とを混合、攪拌するには飲料容器１２を上下に振るのであるが、この場合にも飲料容器１２内の飲料水１１の液漏れが起らない構造となっている。
【００３５】
そして混合後、キャップ１を反時計方向に回転させると、収納容器３が一体となって瓶口１０ａよりキャップ１と収納容器３が一体状態で取り外され、飲用することができるようになっている。
【００３６】
このように開閉蓋２を回すだけの簡単な操作で確実に飲料水１１に収納容器３内の粉末茶５を混合することができる。
【００３７】
また、一体となったキャップ１は収納容器３に設けられたつまみ部３ｆを引っ張りながら回転させることで容易に前記収納容器３が取外すことができるため、他の混合物が収納された収納容器３と取替えが容易に行え、新たな飲料水１１の入った本体１０へとそれらを取付けることで前記キャップ１を何度も使用することができる。
【実施例２】
【００３８】
次に図６から図７を参考に実施例１との相違点を中心に実施例２の説明を行う。
キャップ７の構成としては、実施例１と同様大径円筒部７ｂの上部に小径円筒部７ａを組合わせた形状のキャップ７と前記キャップ７の小径円筒部７ａを覆うように装着される中央に突起部６ａを備えた下側へと開口された円筒形状の開閉蓋６と前記キャップ７の大径円筒部７ｂの内側に配置される収納容器３から構成される。
【００３９】
収納容器３の構成については実施例１と同一のため説明を省略する。また、前記収納容器３は前記キャップに設けられた爪部７ｆにより実施例１と同様の方式で固定されているため、前記収納容器３の着脱は容易に行える構造と成っている。
【００４０】
キャップ７はポリプロピレン樹脂（ＰＰ）の合成樹脂からなり、実施例１同様に大径円筒部７ｂの上部に小径円筒部７ａを組み合わせた形状をしており、前記大径円筒部７ｂ、および大径円筒部７ｂと小径円筒部７ａの結合部の壁７ｃにおいては実施例１と同一である。小径円筒部７ａの外周面には、前記開閉蓋６の円筒部内周面に設けられたねじ部６ｂとねじ着されるためにねじ部７ｄを備えている。
【００４１】
図６に示す開閉蓋６は、下面が開口した円筒形状で上面中央部に突起部６ａを備えており、ポリプロピレン樹脂（ＰＰ）の合成樹脂からなり、円筒部内周面にはねじ部６ｂを設けている。さらに、上面部６ｃと前記突起部６ａの隙間にはシール部材６ｄが設けられている。このシール部材６ｄは、前記開閉蓋６を締め切った状態において前記キャップ７の小径円筒部７ａの先端部７ｅと接触することで密閉状態を形成する。
【００４２】
図７に示すように前記開閉蓋６は、前記のシール状態になるまで回転させることで、前記開閉蓋６に設けられた突起部６ａが前記収納容器３に設けられた押圧棒３ａを押圧することで底面３ｄが破壊され粉末茶５は飲料水１１へと落下混合される。その際には前記シール状態にあるため飲料容器内１２の飲料水１１の液漏れが起こらない構成である。
また、前記開閉蓋６の円筒部下端６ｅには前記開閉蓋６の突起部６ａと前記収納容器３の押圧棒３ａとが接触する状態にあるときには破壊する機械的弱点部を備えた図示しないカラー部材を設けてもよい。それにより、不用意に前記開閉蓋６を回転させ収納容器３の底面３ｄを破壊することがなくなる。
なお、前記開閉蓋６に設けられた突起部６ａの下面６ｆには実施例１の押圧キャップ４の小径円柱部４ｃ底面４ｆ同様の構成となっている。
【００４３】
飲用する際には実施例１と同様に飲料容器本体１０の上部に設けられている開閉蓋６を反時計方向に回転させる。なお回転方向は開閉蓋６のねじ部６ｂとキャップ７のねじ部７ｄを右ネジ或いは左ネジにすることで選択できるため本実施例の反時計方向に限定されるものでは無く、時計方向に回転させるようにしてもよい。
【００４４】
さらに実施例１、実施例２においてはキャップ１，７や開閉蓋２，６の外側に不正操作防止を行うために、帯状やシート状などの図示しない開封確認部材を被着させて開閉蓋２，６の操作有無を確認できるようにしてもよい。
【００４５】
なお前記収納容器３の収納部３ｇに収納する混合物５としては本実施例の粉末茶５に限定されるものではなく、本実施例以外の混合物としてコーヒー、紅茶、果汁、ミルク、砂糖、酒類、抽出液などを例示することができ、これらを粉末状、顆粒状或いは液体状にしたものを収納させて使用することができる。
【産業上の利用可能性】
【００４６】
本発明の活用例として、本体に収納されるものは飲料水に限定されるものではなく、液体状のものや粉末状のものでもよく、混合直後に使用することが必要な薬液、塗料、接着剤などにも使用することができる。
【図面の簡単な説明】
【００４７】
【図１】本願発明の第１実施例を示す説明図である。
【図２】本願発明の第１実施例の混合状態を示す説明図である。
【図３】キャップを示す説明図である        （ａ）平面図        （ｂ）断面図        （ｃ）底面図
【図４】押圧キャップを示す説明図である。        （ａ）平面図        （ｂ）断面図        （ｂ）底面図
【図５】収納容器を示す説明図である。        （ａ）平面図        （ｂ）断面図
【図６】本願発明の第２実施例を示す説明図である。
【図７】本願発明の第２実施例の混合状態を示す説明図である。
【符号の説明】
【００４８】
１    キャップ
１ａ  小径円筒部
１ｂ  大径円筒部
１ｃ  ねじ部
１ｄ  ガイド突起
１ｅ  係止用突起
１ｆ  壁
１ｇ  下端部
１ｈ  爪部
２    開閉蓋
２ａ  ねじ部
２ｂ  係止部
３    収納容器
３ａ  押圧棒
３ｂ  シール部材
３ｃ  開口部
３ｄ  底面
３ｅ  機械的弱点部
３ｆ  つまみ部
３ｇ  収納部
３ｈ  係止部
４    押圧キャップ
４ａ  ガイド溝
４ｂ  大径円柱部
４ｃ  小径円柱部
４ｄ  ねじ部  
４ｅ  密接部
４ｆ  底部
５    粉末茶
６    開閉蓋
６ａ  突起部
６ｂ  ねじ部
６ｃ  上面部
６ｄ  シール部材
６ｅ  下端部
７    キャップ
７ａ  小径円筒部
７ｂ  大径円筒部
７ｃ  壁部
７ｄ  ねじ部
７ｅ  上端部
７ｆ  爪部
１０  本体
１１  飲料水
１２  飲料容器
【図１】
2006103781.tif 000003
【図２】
2006103781.tif 000004
【図３】
2006103781.tif 000005
【図４】
2006103781.tif 000006
【図５】
2006103781.tif 000007
【図６】
2006103781.tif 000008
【図７】
2006103781.tif 000009